(57)【特許請求の範囲】
【請求項１】
ＲＦタグがかざされることにより当該ＲＦタグと電磁波による無線通信を可能とした携帯端末であって、
前記携帯端末の表示画面の外周に沿って配されたアンテナと、
前記ＲＦタグがかざされる際、前記ＲＦタグのアンテナの一辺が前記携帯端末のアンテナに近接するように指示する第１のガイダンスを前記表示画面上に表示させる制御部と、
を備え、
前記制御部は、前記ＲＦタグのアンテナの３辺が前記携帯端末のアンテナの３辺に近接するように指示する第２のガイダンスを前記表示画面上に表示させる、
ことを特徴とする携帯端末。
【請求項２】
前記制御部は、前記第１のガイダンスに従って前記ＲＦタグが置かれた際に前記ＲＦタグと情報のやり取りができない場合、前記第２のガイダンスを前記表示画面上に表示させる請求項１に記載の携帯端末。
【請求項３】
ＲＦタグがかざされることにより当該ＲＦタグと電磁波による無線通信を可能とした携帯端末であって、
前記携帯端末の表示画面の外周に沿って配されたアンテナと、
前記ＲＦタグがかざされる際、前記ＲＦタグを前記アンテナに近接するように指示する第１のガイダンスを前記表示画面上に表示させる制御部と、
を備え、
前記制御部は、前記第１のガイダンスに従って前記ＲＦタグが置かれた際に前記ＲＦタグと情報のやり取りができない場合、前記ＲＦタグを前記アンテナの周囲に更に近接するように指示する第２のガイダンスを前記表示画面上に表示させる、
ことを特徴とする携帯端末。
【請求項４】
ＲＦタグがかざされることにより当該ＲＦタグと電磁波による無線通信を可能とした携帯端末であって、
前記携帯端末の表示画面の外周に沿って配されたアンテナと、
前記ＲＦタグがかざされる際、前記ＲＦタグを前記アンテナに近接するように指示する第１のガイダンスを前記表示画面上に表示させる制御部と、
を備え、
前記制御部は、当該携帯端末の電池残量を判別し、当該電池残量が少ない場合は、前記ＲＦタグを前記アンテナの周囲に更に近接するように指示する第２のガイダンスを前記表示画面上に表示させる、
ことを特徴とする携帯端末。
【請求項５】
ＲＦタグがかざされることにより当該ＲＦタグと電磁波による無線通信を可能とした携帯端末であって、
前記携帯端末の表示画面の外周に沿って配されたアンテナと、
前記ＲＦタグがかざされる際、前記ＲＦタグを前記アンテナに近接するように指示する第１のガイダンスを前記表示画面上に表示させる制御部と、
を備え、
前記制御部は、前記第１のガイダンスが表示される際は、前記アンテナの出力を低出力にして前記ＲＦタグと情報のやり取りを行い、当該ＲＦタグと情報のやり取りができない場合、前記アンテナの出力を上げて前記ＲＦタグと情報のやり取りを行う、
ことを特徴とする携帯端末。
【請求項６】
前記第１のガイダンスは、前記表示画面の外側であって前記アンテナに近接する位置に前記ＲＦタグをかざすように指示するガイダンスであり、
前記第２のガイダンスは、前記表示画面の内側であって当該表示画面の外周に沿って配された前記アンテナに更に近接するように指示するガイダンスである、
ことを特徴とする請求項１〜４の何れかに記載の携帯端末。
【請求項７】
ＩＣタグがかざされた際に、表示画面に配された第１アンテナを介して当該ＩＣタグの第２アンテナとは無線通信でデータ読取を可能としたタグ読取装置であって、
前記ＩＣタグがかざされる際は、当該ＩＣタグからデータ読取ができるか否かを判別し、データ読取ができない場合に、当該ＩＣタグの第２アンテナが当該タグ読取装置の第１アンテナの３辺に近接するように指示するガイダンスを前記表示画面上に表示させる制御手段と、
を具備したことを特徴とするタグ読取装置。
【請求項８】
前記制御手段は、前記データ読取ができない場合に当該タグ読取装置の第１アンテナの出力を上げるよう制御する、
ことを特徴とする請求項７に記載のタグ読取処置。
【請求項９】
ＲＦタグがかざされることにより当該ＲＦタグと電磁波による無線通信を可能とし、表示画面の外周に沿って配されたアンテナを備えて構成される携帯端末のコンピュータに、
制御部により、前記ＲＦタグがかざされて前記ＲＦタグと情報のやり取りができない場合、前記ＲＦタグのアンテナが前記携帯端末のアンテナの外周に更に近接するように指示するガイダンスを前記表示画面上に表示させる機能を実現させるためのプログラム。
【請求項１０】
ＲＦタグがかざされることにより当該ＲＦタグと電磁波による無線通信を可能とし、表示画面の外周に沿って配されたアンテナを備えて構成される携帯端末のコンピュータに、
制御部により、当該携帯端末の電池残量を判別し、当該電池残量が少ない場合、前記ＲＦタグのアンテナが前記携帯端末のアンテナの外周に更に近接するように指示するガイダンスを前記表示画面上に表示させる機能を実現させるためのプログラム。
【請求項１１】
ＲＦタグがかざされることにより当該ＲＦタグと電磁波による無線通信を可能とし、表示画面の外周に沿って配されたアンテナを備えて構成される携帯端末のコンピュータに、
制御部により、前記ＲＦタグがかざされて前記ＲＦタグと情報のやり取りができない場合、前記携帯端末のアンテナの出力を上げて前記ＲＦタグと情報のやり取りを行う機能を実現させるためのプログラム。
【請求項１２】
ＩＣタグがかざされた際に、表示画面に配された第１アンテナを介して当該ＩＣタグの第２アンテナとは無線通信でデータ読取を可能としたタグ読取装置のコンピュータを制御するためのプログラムであって、
前記コンピュータを、
前記ＩＣタグがかざされる際は、当該ＩＣタグからデータ読取ができるか否かを判別し、データ読取ができない場合に、当該ＩＣタグの第２アンテナが当該タグ読取装置の第１アンテナの３辺に近接するように指示するガイダンスを表示させる制御手段、
として機能させるようにしたコンピュータ読み取り可能なプログラム。
【発明の詳細な説明】
【技術分野】
【０００１】
本発明は、携帯端末、タグ読取装置及びプログラムに関する。
【背景技術】
【０００２】
近年、ＲＦＩＤ（Radio Frequency IDentification）により、ＲＦタグと近距離無線通信を行い情報のやり取りを行い得る携帯端末が注目されている。「ＲＦＩＤ」とは、電波を利用した認証技術をいう。
「ＲＦタグ」とは、ＲＦＩＤ技術により近距離無線通信を行い情報のやり取りを行い得るものとして、ＩＣチップをはじめとする電子素子とアンテナの構成が埋め込まれたカード形状などの非接触ＩＣカードやＲＦＩＤタグなどのことをいう。
【０００３】
ＲＦＩＤを利用した携帯端末によれば、例えばＲＦタグが付与された商品の在庫管理が容易になる。また、ＲＦタグに記憶された様々なキー情報により電子マネーの取引が可能となり、自身の識別コード情報などの記憶により入退室の管理が容易になる等のメリットがある。
以下、特に１３．５６ＭＨｚ帯の周波数を利用したＲＦＩＤについて述べる。１３．５６ＭＨｚ帯の周波数を利用したＲＦＩＤでは、携帯端末にループアンテナが使用され、電磁誘導方式が採用される。
【０００４】
電磁誘導方式では、以下の特徴がある。
（１）通信距離は０ｍｍ〜２０ｍｍ程度と短い。
（２）携帯端末のアンテナ付近又はＲＦタグとの間に金属が介在すると携帯端末から出力された電波が阻害されて通信できない。
【０００５】
ここで、上記（１）〜（２）の特徴を考慮した技術であって、表示部とアンテナを装備した携帯端末について、下記の従来技術が存在する。なお、現在普及している携帯端末には例えばＰＤＡ（Personal Digital Assistant）やハンディターミナルがある。
【０００６】
特許文献１には、電子装置内での通信装置場所を示す位置指標を表示部に表示する携帯電子装置が開示されている。すなわち、特許文献１によれば、携帯端末のどの位置にアンテナが配置されているのかを表示部に表示することができる。
【０００７】
特許文献２には、表示部の外周にアンテナを配置した情報表示システムが開示されている。特許文献２によれば、表示部とアンテナとを一体化することで携帯端末を小型化することができる。
【０００８】
特許文献３には、液晶パネルの背面にアンテナを配置し、アンテナの背面に液晶パネルを制御する液晶制御回路を配置した液晶表示機能付リーダライタ装置が開示されている。特許文献３によれば、液晶制御回路が液晶パネルとアンテナとの間に位置しないため良好な送受信を維持することができる。
【先行技術文献】
【特許文献】
【０００９】
【特許文献１】特表２００７−５３６６６５号公報
【特許文献２】特開２００９−０６４３０７号公報
【特許文献３】特開２００７−２５７４８３号公報
【発明の概要】
【発明が解決しようとする課題】
【００１０】
しかし、特許文献１〜３の技術では、携帯端末の表示部にＲＦタグをかざして利用する際、ＲＦタグにより表示部の表示領域が覆われて表示内容が観察できなくなる課題が解決されない。表示内容には、例えば「この画面にカードをかざして下さい」との読み取り指示、「読み取りＯＫ！」との読み取り結果、又は「読み取り位置を移動して下さい」との読み取り指示等がある。なお、一般的にＲＦタグとしてのＩＣカードのサイズは、８５．６×５４（ｍｍ）であり、画面寸法で換算すると４インチ程度であるため、携帯端末の様に表示部サイズが限られるものの場合、観察できなくなる部分の比率が大きくなってしまう傾向にある。
【００１１】
図１３に、携帯端末にＲＦタグをかざす前の状況を示す。
また、図１４に、携帯端末にＲＦタグをかざした後の状況を示す。
図１３及び図１４に示すように、ＲＦタグをかざすと、表示内容はＲＦタグに覆われて観察することができなくなる。
表示部の表示内容が観察できなくなることで、ユーザの利便性が損なわれる。
【００１２】
また、上記の例において、ＲＦタグをかざした後、「読み取り位置を移動して下さい」との指示が表示部に表示されている場合に表示内容が観察できないと、携帯端末は不要な電波を出力する等して電源を消費する。よって、すぐに電池切れとなる問題が生じる。
また、表示内容が観察できる／できないに拘らず、従来の携帯端末は、ループアンテナ周辺の何処であっても読み取り可能とするため、ループアンテナの中心磁界が一定値以上となるように電波を出力する必要がある。すなわち、不必要に電波の出力を上げる必要がある。よって、すぐに電池切れとなる問題が生じる。
【００１３】
本発明の課題は、近距離無線通信を行う際に表示される表示内容を観察可能とし、かつ、省電力化を図り得るようにすることである。
【課題を解決するための手段】
【００１４】
請求項１は、ＲＦタグがかざされることにより当該ＲＦタグと電磁波による無線通信を可能とした携帯端末であって、前記携帯端末の表示画面の外周に沿って配されたアンテナと、前記ＲＦタグがかざされる際、前記ＲＦタグのアンテナの一辺が前記携帯端末のアンテナに近接するように指示する第１のガイダンスを前記表示画面上に表示させる制御部と、を備え、前記制御部は、前記ＲＦタグのアンテナの３辺が前記携帯端末のアンテナの３辺に近接するように指示する第２のガイダンスを前記表示画面上に表示させることを特徴とする。
【００１５】
請求項３は、ＲＦタグがかざされることにより当該ＲＦタグと電磁波による無線通信を可能とした携帯端末であって、前記携帯端末の表示画面の外周に沿って配されたアンテナと、前記ＲＦタグがかざされる際、前記ＲＦタグを前記アンテナに近接するように指示する第１のガイダンスを前記表示画面上に表示させる制御部と、を備え、前記制御部は、前記第１のガイダンスに従って前記ＲＦタグが置かれた際に前記ＲＦタグと情報のやり取りができない場合、前記ＲＦタグを前記アンテナの周囲に更に近接するように指示する第２のガイダンスを前記表示画面上に表示させる、ことを特徴とする。
請求項４は、ＲＦタグがかざされることにより当該ＲＦタグと電磁波による無線通信を可能とした携帯端末であって、前記携帯端末の表示画面の外周に沿って配されたアンテナと、前記ＲＦタグがかざされる際、前記ＲＦタグを前記アンテナに近接するように指示する第１のガイダンスを前記表示画面上に表示させる制御部と、を備え、前記制御部は、当該携帯端末の電池残量を判別し、当該電池残量が少ない場合は、前記ＲＦタグを前記アンテナの周囲に更に近接するように指示する第２のガイダンスを前記表示画面上に表示させる、ことを特徴とする。
請求項５は、ＲＦタグがかざされることにより当該ＲＦタグと電磁波による無線通信を可能とした携帯端末であって、前記携帯端末の表示画面の外周に沿って配されたアンテナと、前記ＲＦタグがかざされる際、前記ＲＦタグを前記アンテナに近接するように指示する第１のガイダンスを前記表示画面上に表示させる制御部と、を備え、前記制御部は、前記第１のガイダンスが表示される際は、前記アンテナの出力を最初は低出力にして前記ＲＦタグと情報のやり取りを行い、当該ＲＦタグと情報のやり取りができない場合、前記アンテナの出力を上げて前記ＲＦタグと情報のやり取りを行う、ことを特徴とする。
請求項７は、ＩＣタグがかざされた際に、表示画面に配された第１アンテナを介して当該ＩＣタグの第２アンテナとは無線通信でデータ読取を可能としたタグ読取装置であって、前記ＩＣタグがかざされる際は、当該ＩＣタグからデータ読取ができるか否かを判別し、データ読取ができない場合に、当該ＩＣタグの第２アンテナが当該タグ読取装置の第１アンテナの３辺に近接するように指示するガイダンスを表示させる制御手段と、を具備したことを特徴とする。
【発明の効果】
【００１６】
本発明によれば、近距離無線通信を行う際に表示される表示内容を観察することができ、かつ省電力化を図ることができる。
【図面の簡単な説明】
【００１７】
【図１】携帯端末の外観図である。
【図２】携帯端末の機能ブロック図である。
【図３】近距離無線通信時における表示処理のフロー図である。
【図４】第１のガイダンスを示す図である。
【図５】第１のガイダンスに従ってＲＦタグが置かれた状態を示す図である。
【図６】第２のガイダンスを示す図である。
【図７】第２のガイダンスに従ってＲＦタグが置かれた状態を示す図である。
【図８】画面観察が容易で省電力化に適したＲＦタグの配置例を示す図である。
【図９】画面観察が容易で省電力化に適したＲＦタグの配置例を示す図である。
【図１０】画面観察又は省電力化に不向きなＲＦタグの配置例を示す図である。
【図１１】画面観察又は省電力化に不向きなＲＦタグの配置例を示す図である。
【図１２】画面観察又は省電力化に不向きなＲＦタグの配置例を示す図である。
【図１３】ＲＦタグをかざす前の状態を示す図である。
【図１４】ＲＦタグをかざした後の状態を示す図である。
【発明を実施するための形態】
【００１８】
本実施形態における携帯端末の構成及び動作について、図面を用いて詳細に説明する。なお、本実施形態は一例であり、本発明はこれに限定されるものではない。
【００１９】
図１に、携帯端末１の外観図を示す。
携帯端末１は、表示部２、操作部３及びアンテナ４等を備えて構成される。
【００２０】
表示部２は、液晶ディスプレイ（Liquid Crystal Display）や有機ＥＬディスプレイ（Organic Electro-Luminescence Display）等を備えて構成される。表示部２は、各種情報の静止画又は動画の画面を表示する。
【００２１】
操作部３は、タッチセンサーを備えて構成され、表示部２の背面に設けられるいわゆるタッチパネルである。操作部３は、抵抗膜方式、表面弾性方式、静電容量方式等の方式により、表示部２の画面上がタッチ（押下）された場合に押下信号を生成し、生成された押下信号を制御部５（図２参照）に出力する。なお、操作部３は、必ずしもタッチパネルである必要はなく、数字キー、文字キー、機能キー等を表示部２とは別領域に備えて構成されるとしてもよい。
【００２２】
アンテナ４は、銅線等のループアンテナであり、表示部２の外周に沿って巻回されている。アンテナ４は、ＲＦタグに電波を送信し、送信された電波がＲＦタグから反射された場合にこの反射波を受信する。アンテナ４を表示部２の外周に巻回した構成とすることで、表示部２の表示領域を広く確保しつつ携帯端末１の小型化を図ることができる。また、表示部２の外周に巻線することで金属部を回避でき、通信障害の発生を防止することができる。なお、アンテナ４は透明色の導電性素材のループアンテナであってもよく、この場合、表示部２の表面又は背面に設置されるとしてもよい。
【００２３】
「ＲＦタグ」は、本発明の説明においては、ＲＦＩＤ技術により近距離無線通信を行い情報のやり取りを行い得るものとして、ＩＣチップをはじめとする電子素子とアンテナの構成が埋め込まれたカード形状などの非接触ＩＣカードやＲＦＩＤタグなどの総称として記載する。なお、各説明において、ＲＦタグの形状をカード型を例として説明しているが、これに限定されず、例えばコイン型、スティック型、ラベル型、及び腕時計や携帯電話等に埋め込むなど様々な形状のものとしてもよい。
【００２４】
図２に、携帯端末１の機能ブロック図を示す。
携帯端末１は、表示部２、操作部３、アンテナ４、制御部５、記憶部６、電源部７等を備えて構成される。
上記構成のうち、図１で既述した構成については同一の符号を付して簡潔に説明する。
【００２５】
表示部２は、制御部５からの制御信号に基づいて、各種情報の静止画又は動画を表示する。
操作部３は、表示部２の画面上が押下された場合、押下信号を生成してこれを制御部５に出力する。
アンテナ４は、ＲＦタグに電波を送信し、送信された電波がＲＦタグから反射された場合、この反射波を受信する。なお、アンテナ４は、ここではＲＦＩＤ用のアンテナとして用いるがこれに限らず、例えばＬＡＮ（Local Area Network）用やＷＡＮ（Wide Area Network）用のアンテナとして用いてもよい。
【００２６】
制御部５は、ＣＰＵ、ＲＡＭ、ＲＯＭ等を備えて構成され、ＣＰＵはＲＯＭや記憶部６に記憶される各種プログラムをＲＡＭに展開し、展開された各種プログラムとの協働により携帯端末１の動作を統括的に制御する。
例えば制御部５は、記憶部６に記憶されているアプリケーションを実行してＲＦタグと近距離無線通信を行い、その際に後述する表示処理（図３参照）を行う。
【００２７】
記憶部６は、ＲＯＭ、ＲＡＭ、ＨＤＤ、フラッシュメモリ等の揮発メモリ又は不揮発メモリである。記憶部６は、制御部５により実行される各種プログラムや各種プログラムが実行されたことで得られる各種情報を記憶する。
例えば記憶部６は、ＲＦＩＤによる近距離無線通信を行うためのアプリケーションソフト、ＲＦタグ認証テーブル、識別コード又は管理ツール等を記憶しており、近距離無線通信により取得された各種情報を記憶する。
【００２８】
電源部７は、いわゆるバッテリーとよばれる二次電池であり、携帯端末１の各部（２〜６）に電源を供給する。なお、図２において、電源供給ラインの図示は省略している。
電源部７は、制御部５の制御に基づき省電力化を図るように各部に電源を供給する。本実施形態における省電力化を図る処理については、後述する表示処理（図３参照）で説明する。
【００２９】
図３を参照して、近距離無線通信時における表示処理について説明する。
前提として、携帯端末１においてＲＦタグと近距離無線通信を行うためのアプリケーションが起動された時点から本処理が開始されるものとする。
なお、以下の説明では、ＲＦタグに書き込まれている情報を読み取る際に本処理が行われるものとしているが、書き込む際の場合も同様に本処理が行われる。
【００３０】
制御部５は、第１のガイダンスを表示部２に表示する（ステップＳ１）。
【００３１】
図４に、第１のガイダンスを示す。
第１のガイダンスは、表示部２の表示領域を最大限広くとり、かつ、ＲＦタグ内部に設けられたアンテナと携帯端末１のアンテナ４とが効果的に接近するようにＲＦタグの位置及び向き（姿勢）を誘導する案内表示である。具体的には、ＲＦタグ内部のアンテナの１辺が携帯端末１のアンテナ４の一辺に沿って接近するようにＲＦタグを誘導する案内表示である。
なお、アンテナ４のアンテナ線付近は磁界が強く、アンテナ４の線上に沿ってＲＦタグのアンテナが接近することで低出力の電波でも読み取りが可能である。
【００３２】
また、第１のガイダンスは、表示部２の表示領域を上下に２分割したうちの下画面に表示される。例えば表示部２の下画面には、「この位置及び向きに、カードを置いて下さい」とのガイダンスが表示される。第１のガイダンス中「この位置及び向きに」とは、「下画面内の下端に表示された線にＲＦタグの端部を合わせて」を意味する。
【００３３】
図５に、第１のガイダンスに従ってＲＦタグが置かれた状態を示す。
第１のガイダンスに従ってＲＦタグが置かれると、アンテナ４１の一辺がアンテナ４の一辺に沿って接近する。すなわち、アンテナ４１をアンテナ４の磁界の強い部分に配置することができる。このとき、携帯端末１は、アンテナ４からの出力電波が小さくとも通信環境が良好であればＲＦタグに書き込まれている各種情報を読み取ることができる。
第１のガイダンスに従ってＲＦタグが置かれる（かざされる）ことにより、表示部２の表示領域を最大限確保してユーザの利便性向上を図ることができる。更に、アンテナ４１及びアンテナ４同士を効果的に接近させて出力電波を上げずに読み取り可能な状態にして省電力化を図ることができる。
【００３４】
図３に戻り、制御部５は、第１のガイダンスに従ってＲＦタグが置かれた後（図５参照）、ＲＦＩＤにより読み取り可能か否か判断する（ステップＳ２）。
読み取り可能の場合（ステップＳ２；Ｙ）、制御部５は、ＲＦＩＤにより読み取りを開始して、ＲＦタグに書き込まれている各種情報を取得し（ステップＳ３）、近距離無線通信を終了する。
【００３５】
読み取り可能でない場合（ステップＳ２；Ｎ）、制御部５は、電源部７の電池残量は少ないか否か判断する（ステップＳ４）。
電池残量が少ないか否かの判断に際して、例えば制御部５は、電池残量が予め定められた値よりも小さい場合は電池残量が少ないと判断し、大きい場合は電池残量が多いと判断する。
【００３６】
電池残量が少ない場合（ステップＳ４；Ｙ）、制御部５は、第１のガイダンスに換えて、第２のガイダンスを表示部２に表示する（ステップＳ５）。
なお、制御部５は、第１のガイダンスを表示する前の通信処理の最初の段階で電池残量を判断し、電池残量が少ない場合は第１のガイダンスを表示することなく第２のガイダンスを表示するとしてもよい。
【００３７】
図６に、第２のガイダンスを示す。
第２のガイダンスは、ＲＦタグに覆われない表示領域を一定範囲確保しつつ、かつ、ＲＦタグ内部に設けられたアンテナ４１と携帯端末１のアンテナ４とが第１のガイダンスの場合よりもより効果的に接近するようにＲＦタグの姿勢を誘導する案内表示である。具体的には、ＲＦタグ内部のアンテナ４１の３辺が携帯端末１のアンテナ４の３辺に沿って接近するようにＲＦタグを誘導する案内表示である。
【００３８】
第２のガイダンスは、第１のガイダンスと同様、表示部２の表示領域を上下に２分割したうちの下画面に表示される。例えば表示部２の下画面には、「カードをこの位置及び向きに移動して下さい」とのガイダンスが表示される。第２のガイダンス中「この位置及び向きに」とは、「下画面内に表示された破線にＲＦタグの端部を合わせて」を意味する。
【００３９】
図７に、第２のガイダンスに従ってＲＦタグが置かれた状態を示す。
第２のガイダンスに従ってＲＦタグが置かれると、アンテナ４１の３辺がアンテナ４の３辺に沿って接近する。第２のガイダンスによれば、第１のガイダンスの場合よりも、アンテナ４１をアンテナ４の磁界の強い部分により多く接近するよう誘導することができる。このとき、携帯端末１は、アンテナ４からの出力電波が小さくとも通信環境が良好であればＲＦタグに書き込まれている各種情報を読み取ることができる。
【００４０】
表示部２の表示領域のうち、ＲＦタグに覆われない表示領域には、ＲＦタグの読み取り指示、読み取り状況、又は読み取り結果等が表示される。例えばＲＦタグに書き込まれた各種情報の読み取りが完了した場合、図７に示すように、「読み取りＯＫ！」との読み取り結果の通知が表示部２に表示されるとしてもよい。
第２のガイダンスに従ってＲＦタグが置かれることにより、ＲＦタグに覆われない表示領域を一定範囲確保してユーザの利便性向上を図ることができる。更に、アンテナ４１及びアンテナ４同士を第１のガイダンスの場合よりもより効果的に接近させて出力電波を上げずに読み取り可能な状態にして省電力化を図ることができる。
【００４１】
図８及び図９に、画面観察が容易で省電力化に適したＲＦタグの他の配置例を示す。
図８及び図９に示す配置は何れも、ＲＦタグに覆われない表示領域が一定範囲確保されている。よって、読み取り状況等を容易に観察することができユーザの利便性向上を図ることができる。
【００４２】
また、図８及び図９に示す配置は何れも、アンテナ４１の３辺がアンテナ４の３辺に沿って接近しており、必要最小限の出力電波で読み取りが可能である。よって、省電力化を図ることができる。
なお、第２のガイダンスの文言について、図６〜図９に示す位置にＲＦタグを誘導するものであれば特に限定されない。
【００４３】
図１０〜図１２に、画面観察又は省電力化に不向きなＲＦタグの配置例を示す。
図１０〜図１２に示す配置は何れも、表示部２の表示領域のほとんどがＲＦタグに覆われているため読み取り状況等が観察し難く、利便性が図れない。また、アンテナ４１の何れの辺もアンテナ４の線上に沿って接近しておらず、出力電波を上げないとＲＦタグに書き込まれた各種情報を読み取ることができないため、省電力化を図れない。
第１及び第２のガイダンスが表示部２に表示されることにより、図１０〜図１２に示す位置にＲＦタグが置かれることを防止することができる。
【００４４】
図３に戻り、制御部５は、第２のガイダンスを表示した後、再びステップＳ２に移行する。
第２のガイダンスに従ってＲＦタグが置かれたことで、ＲＦＩＤにより読み取りが可能になった場合（ステップＳ２；Ｙ）、制御部５は、ＲＦＩＤにより読み取りを行いＲＦタグに書き込まれている各種情報を取得して（ステップＳ３）、近距離無線通信を終了する。
【００４５】
第２のガイダンスに従ってＲＦタグが置かれたが、ＲＦＩＤにより読み取りが可能にならない場合（ステップＳ２；Ｎ）、かつ、電池残量が少ない場合（ステップＳ４；Ｙ）、制御部５は、再びステップＳ５に移行する（ステップＳ５）。
【００４６】
第２のガイダンスに従って既にＲＦタグが置かれている場合にステップＳ５に移行した場合、このままでは、いつまでもＲＦＩＤによりＲＦタグの情報を読み取ることができない。この場合、例えば制御部５は、予め定められた回数だけループした場合（ステップＳ２→Ｓ４→Ｓ５→Ｓ２…）、「電池残量が少ないためＲＦＩＤによる読み取りができません」との通知を表示部２に表示するとしてもよい。或いは、制御部５は、電池残量は少ないがステップＳ６に移行する旨の通知を表示部２に表示するとしてもよい。
【００４７】
電源部７の電池残量が少なくない場合（ステップＳ４；Ｎ）、すなわち電池残量が多い場合、制御部５は、アンテナ４から出力される出力電波を上げるか否か判断する（ステップＳ６）。
出力電波を上げるか否かの判断に際して、例えば制御部５は、「読み取ることができないため出力電波を上げますか？」との通知を表示部２に表示し、これに対して操作部３から出力電波を上げることを指示する押下信号を入力した場合は出力電波を上げる。また、出力電波を上げないことを指示する押下信号を入力した場合は出力電波を上げない。
【００４８】
なお、例えば制御部５は、「出力電波を上げながらリトライ中」等のガイダンスを表示部２に表示しながら出力電波を少しずつ上げるとしてもよい。
また、何ら表示部２に表示せず、操作部３からの指示入力も待たずに、読み取りが成功するまで出力電波を少しずつ上げるとしてもよい。
また、少しずつ上げるのではなく、一気に上げて読み取りを実行し、その値を記憶部６に記憶し、次回のＲＦタグで同様の状況で出力電波を一気に上げる場合に、前回の値よりも少し下の値に設定して読み取りを実行し、成功したらその値を上書きして記憶し、徐々に設定値を下げることにより読み取り成功率を確保しつつ省電力化を図るとしてもよい。
【００４９】
出力電波を上げない場合（ステップＳ６；Ｎ）、制御部５は、ステップＳ５に移行する。
制御部５は、第２のガイダンスを表示部２に表示していない場合は第２のガイダンスを表示する（ステップＳ５）。第２のガイダンスを既に表示部２に表示している場合は予め定められた回数だけループした後に（ステップＳ２→Ｓ４→Ｓ６→Ｓ５→Ｓ２…）、例えば「出力電波を上げないと読み取れません。出力電波を上げてよろしいですか？」との通知を表示部２に表示するとしてもよい。また、ループする回数ごとに出力電波を少しずつ上げて読み取りを実行するとしてもよい。
【００５０】
出力電波を上げる場合（ステップＳ６；Ｙ）、制御部５は、アンテナ４から出力される出力電波を上げる（ステップＳ７）。
制御部５は、出力電波を上げた後は再びＲＦＩＤにより読み取り可能か否か判断する（ステップＳ２）。読み取り可能でない場合は上記説明してきたステップＳ４〜Ｓ７に移行する。また、読み取り可能な場合はＲＦタグに書き込まれている各種情報を取得して（ステップＳ３）近距離無線通信を終了する。
【００５１】
以上のように、本実施形態によれば、ＲＦタグのアンテナ４１の少なくとも一辺がアンテナ４の線材に沿うように、ＲＦタグの姿勢を誘導するガイダンスを表示部２に表示することができる。ガイダンスに従ってＲＦタグが置かれることで、表示部２の表示領域を確保することができ、ユーザの利便性向上を図ることができる。更に、ＲＦタグのアンテナ４１を携帯端末１のアンテナ４に沿って接近させることができ、省電力化を図ることができる。
なお、本実施形態では、四角形の表示部２の外周に沿って矩形のアンテナ４が設けられた携帯端末１に、矩形のアンテナ４１をかざす場合について説明してきたがこれに限らず、円形の表示部の外周に沿って矩形のアンテナ４が設けられた携帯端末に、矩形のアンテナ４１をかざす場合であっても、また、円形の表示部の外周に沿って円形のアンテナが設けられた携帯端末に、矩形のアンテナ４１をかざす場合であっても、表示部の表示領域を確保してユーザの利便性向上を図り、省電力化を図ることができる。すなわち、表示部の表示領域を確保しつつ、ＲＦタグのアンテナを携帯端末のアンテナに沿って接近させるようなガイダンスを表示部に表示することで、表示部の形状、携帯端末のアンテナの形状又はＲＦタグのアンテナの形状にかかわらず上記効果を有する。
【００５２】
また、第１のガイダンス又は第２のガイダンスを表示部２に表示し、これに従ってＲＦタグが置かれることで、表示部２の表示領域を確保することができ、ユーザの利便性向上を図ることができる。更に、ＲＦタグのアンテナ４１を携帯端末１のアンテナ４に沿って接近させることができ、省電力化を図ることができる。
【００５３】
また、まず第１のガイダンスを表示してＲＦタグに覆われない表示領域を最大限確保しつつアンテナ４１及びアンテナ４同士を効果的に接近させることで利便性向上及び省電力化を図り、第１のガイダンスに従ってＲＦタグが置かれた場合でもＲＦタグに書き込まれた情報を読み取ることができない場合、次に第２のガイダンスを表示してＲＦタグに覆われない表示領域を一定範囲確保しつつアンテナ４１及びアンテナ４同士をより効果的に接近させることで利便性向上及び省電力化を図ることができる。
【００５４】
また、第１のガイダンスに従ってＲＦタグが置かれた場合でもＲＦタグに書き込まれた情報を読み取ることができない場合、かつ、電池残量が少ない場合、第２のガイダンスを表示してＲＦタグに覆われない表示領域を一定範囲確保しつつアンテナ４１及びアンテナ４同士をより効果的に接近させることで利便性向上及び省電力化を図ることができる。
【００５５】
また、第１のガイダンスに従ってＲＦタグが置かれた場合でもＲＦタグに書き込まれた情報を読み取ることができない場合、かつ、出力電波を上げずに低出力の出力電波を維持する設定がされている場合、第２のガイダンスを表示してＲＦタグに覆われない表示領域を一定範囲確保しつつアンテナ４１及びアンテナ４同士をより効果的に接近させることで利便性の向上及び省電力化を図ることができる。
【００５６】
また、ＲＦタグの読み取り指示、読み取り状況、又は読み取り結果をＲＦタグに覆われない表示領域に表示して観察可能とすることができるため利便性向上を図ることができる。
【符号の説明】
【００５７】
１    携帯端末
２    表示部
３    操作部
４    アンテナ
５    制御部
６    記憶部
７    電源部
４１  アンテナ
【図１】
0005585124.tif 000002
【図２】
0005585124.tif 000003
【図３】
0005585124.tif 000004
【図４】
0005585124.tif 000005
【図１３】
0005585124.tif 000006
【図１４】
0005585124.tif 000007
【図５】
0005585124.tif 000008
【図６】
0005585124.tif 000009
【図７】
0005585124.tif 000010
【図８】
0005585124.tif 000011
【図９】
0005585124.tif 000012
【図１０】
0005585124.tif 000013
【図１１】
0005585124.tif 000014
【図１２】
0005585124.tif 000015